(57)【要約】【課題】蝉の産卵管刺入を防止し、安全確実な光通信を保証する。【解決手段】光ファイバ心線１１を中心にして、その両側に間隔をあけてテンションメンバ１２を配置し、上記テンションメンバ１２の周りには直接保護被覆１５を設けてなる光ドロップケーブル１０において、上記保護被覆１５の少なくとも表面に低摩擦・高強度樹脂組成物の層を形成したもので、詳しくは上記低摩擦・高強度樹脂組成物は、動摩擦係数が０．３以下で、硬度が８５（ＨＤＡ）以上とし、その素材としてポリウレタン、ポリアミド、ポリイミド、高密度ポリエチレンのなかから採用し、必要ならば上記光ファイバ心線と保護被覆間に０．２ｍｍ以上の空隙を設けることができる。【選択図】図１
2007101586.tif 000002
【特許請求の範囲】
【請求項１】
光ファイバ心線（１１）を中心にして、その両側に間隔をあけてテンションメンバ（１２）を配置し、上記テンションメンバ（１２）の周りには直接保護被覆（１５）を設けてなる光ドロップケーブル（１０）において、上記保護被覆（１５）の少なくとも表面に低摩擦・高強度樹脂組成物の層を形成したことを特徴とする蝉対策光ドロップケーブル。
【請求項２】
上記低摩擦・高強度樹脂組成物は、動摩擦係数が０．３以下で、硬度が８５（ＨＤＡ）以上であることを特徴とする請求項１に記載の蝉対策光ドロップケーブル。
【請求項３】
上記低摩擦・高強度樹脂組成物がポリウレタン、ポリアミド、ポリイミド、高密度ポリエチレンであることを特徴とする請求項１または２に記載の蝉対策光ドロップケーブル。
【請求項４】
上記光ファイバ心線と保護被覆間の空隙を０．２ｍｍ以上としたことを特徴とする請求項１乃至３のいずれかに記載の蝉対策光ドロップケーブル。
【発明の詳細な説明】
【技術分野】
【０００１】
この発明は架空光配線ケーブルからクロージャを経て利用者宅に光ケーブルを引き込む光ドロップケーブル、特に昆虫の産卵管刺入による被害を防止した光ドロップケーブルに関する。
【背景技術】
【０００２】
利用者宅への光ケーブルの引き込みは図４に示す如く、中間光ドロップクロージャ３４を経て光ドロップケーブルにより行われる。この光ドロップケーブル１０は、図１に示すように支持線（亜鉛メッキ鋼線）１３に吊架され、その支持線１３は利用者住宅３３に取付けられたブラケット（図示せず）等に引き留められ支持線１３部分と切り離されて宅内に引き込まれる。
【０００３】
ところが、上記光ドロップケーブルの保護被覆に疵が付けられ光ファイバ心線が損傷する事故が発生し、その原因を追及してきたところクマゼミが卵を産み付けるため強力な産卵管を光ドロップケーブルの保護被覆に刺し込むことによるものと判明した。
【０００４】
上記事故対策として特許文献１及び２があり、上記特許文献1及び２の改善策として本出願人が特願２００５−１５２７１８で「蝉対策光ドロップケーブル」を提案した。
【０００５】
【特許文献１】特開２００２−０９０５９３号公報（要約および選択図面）
【特許文献２】特開２００２−３２８２７６号公報（要約および選択図面）
【発明の開示】
【発明が解決しようとする課題】
【０００６】
上記特許文献に係る発明は、いずれもノッチを光ファイバ心線の直上から左右にずらせることによって産卵管の先端が光ファイバ心線に到達しないようにしたものである。また、本出願人の提案は、光ドロップケーブルの外形を図２、図３のような楕円形状にして産卵管が保護被覆に刺さり難くするとともに、光ファイバ心線と保護被覆との間にギャップ（図２参照）を設けることにより、もし保護被覆に産卵管が刺入された場合でも光ファイバ心線が逃げて損傷されないようにしたものであった。
【０００７】
上記のように従来の技術では完全に保護被覆に対する産卵管の刺入を皆無にできないので保護被覆材料の検討を続けてきた。
【０００８】
こうした検討の過程で、種々の樹脂組成物で保護被覆を施した光ドロップケーブルを試作し、この試作光ドロップケーブルを出願人の工場の敷地内６カ所でフィールドテストを行ってきたところ、ウレタン樹脂組成物で保護被覆を施したものには産卵管の刺し疵が全く見あたらなかった。
【０００９】
本発明は、上記知見に基づき、蝉が産卵管を刺入することが出来ない光ドロップケーブルを提供することを課題とする。
【課題を解決するための手段】
【００１０】
上記課題を解決するためにこの発明は、光ファイバ心線１１を中心にして、その両側に間隔をあけてテンションメンバ１２を配置し、上記テンションメンバ１２の周りには直接保護被覆１５を設けてなる光ドロップケーブル１０において、上記保護被覆１５の少なくとも表面に低摩擦・高強度樹脂組成物の層を形成したもので、詳しくは上記低摩擦・高強度樹脂組成物は、動摩擦係数が０．３以下で、硬度が８５（ＨＤＡ）以上とし、その素材としてポリウレタン、ポリアミド、ポリイミド、高密度ポリエチレンのなかから採用し、必要ならば上記光ファイバ心線と保護被覆間に０．２ｍｍ以上の空隙を設けることができる。
【発明の効果】
【００１１】
上記の如く構成するこの発明によれば、光ドロップケーブルの保護被覆のどの部分からも産卵管が刺入されず光ファイバ心線が損傷することが全くなくなった。
【００１２】
なお、上記低摩擦ウレタン樹脂組成物の硬度を８５（ＨＤＡ）以上とし、動摩擦係数を０．３以下とするのは、産卵管が蝉の体形上、対象物に対して斜め方向（光ドップケーブルに対して２０〜４０°の角度）に刺入されることから、保護被覆を硬くて滑りやすい材料にすることによって産卵管が滑って刺し込まれない効果を得ることができ、副次的効果として引き込み作業の際、摩擦による光ファイバ心線への負荷が軽減される。
【発明を実施するための最良の形態】
【００１３】
次にこの発明の実施の形態を、図面を参照しながら説明する。図１乃至図３はこの発明に係る実施例１〜３の蝉対策光ドロップケーブルの断面図で、図１（実施例１）は多角形断面の２心蝉対策光ドロップケーブル、図２（実施例２）は断面楕円の２心蝉対策光ドロップケーブル、図３（実施例３）は断面長楕円の４心蝉対策光ドロップケーブルで、１０は蝉対策光ドロップケーブル、１１は外径０．２５ｍｍの光ファイバ心線、１２は０．４５ｍｍφのアラミド繊維強化プラスチック紐のテンションメンバ、１３は１．２ｍｍφの亜鉛メッキ鋼線、１４はノッチ、１５は保護被覆、１６は同一材料の外被、１７はケーブル本体と支持線とを繋ぐブリッジ、Ｇは微小ギャップである、
【実施例】
【００１４】
実施例１（図１）の寸法構成は、光ファイバ心線０．２５ｍｍφ２心平行、テンションメンバ０．４５ｍｍφアラミド繊維強化プラスチック紐、支持線（亜鉛メッキ鋼線）１．２ｍｍφ、保護被覆短辺２．０ｍｍ×長辺３．４ｍｍの多角形（低摩擦ウレタン樹脂組成物）、外被２．０ｍｍφである。
【００１５】
実施例２（図２）の寸法構成は、光ファイバ心線０．２５ｍｍφ２心平行、テンションメンバ０．４５ｍｍφアラミド繊維強化プラスチック紐、支持線（亜鉛メッキ鋼線）１．２ｍｍφ、保護被覆短軸２．２ｍｍ×長軸２．５ｍｍの楕円形（低摩擦ウレタン樹脂組成物、外被２．２ｍｍφである。
【００１６】
実施例３（図３）の寸法構成は、光ファイバ心線０．２５ｍｍφ４心（テープ状）、テンションメンバ０．４５ｍｍφアラミド繊維強化プラスチック紐、支持線（亜鉛メッキ鋼線）１．２ｍｍφ、保護被覆短軸２．０ｍｍ×長軸４．０ｍｍの長楕円形（低摩擦ウレタン樹脂組成物）、外被２．０ｍｍφである。
【００１７】
比較例１乃至３は、実施例１乃至３と同一寸法構成で、保護被覆として中密度ポリエチレンをベースに難燃配合した組成物を採用したものである。
【００１８】
上記実施例１乃至３と比較例１乃至３の光ドロップケーブルから２ｍのサンプルを取り、このサンプルを本出願人の工場敷地内６箇所の樹木の幹等に３ｃｍ間隔で上下方向・平行に取付け、平成１７年７月３０日から同年９月３日まで放置した後、各サンプルに対する産卵管の刺入状況を観察した結果を表１および表２に示す。
【００１９】
なお、表２には示してないが比較例１のノッチのない寸法構成で、同一の保護被覆を形成した光ドロップケーブルを試作し、同様の実証試験を行ったところ全体として３０箇所の刺し疵が確認された。
【００２０】
【表１】
2007101586.tif 000003
【００２１】
【表２】
2007101586.tif 000004
【００２２】
表１ではケーブルの形状に影響されず低摩擦・高強度の樹脂組成物を採用することにより産卵管が刺入されず刺し疵が皆無であるのに対し、表２では表１と同じ形状で保護被覆に中密度ポリエチレンをベースにした難燃配合の組成物を採用したので産卵管の刺し疵が多数発生している。（難燃配合でないものは柔らかくなるので、刺し疵が一層多くなることが容易に想像できる。）
【００２３】
上記実施例では、保護被覆全体を低摩擦ウレタン樹脂組成物としたが、ポリエチレン組成物で一次被覆を施し、その上に低摩擦ウレタン樹脂組成物の被覆を施したものでもよく、プラスチック硬度が高く、摩擦係数の低いポリアミド、ポリイミド、高密度ポリエチレンなどを保護被覆として採用できる。
【産業上の利用可能性】
【００２４】
以上説明したようにこの発明に係る光ドロップケーブルは、産卵管の刺入疵が全く見られず、それによって光ファイバ心線が完全に保護されて安全確実な光通信が保証されることとなった。
【図面の簡単な説明】
【００２５】
【図１】実施例１に係る光ドロップケーブルの断面図
【図２】実施例２に係る光ドロップケーブルの断面図
【図３】実施例３に係る光ドロップケーブルの断面図
【図４】光ドロップケーブルの引き込み工事説明図
【符号の説明】
【００２６】
１０  光ドロップケーブル
１１  光ファイバ（テープ）心線
１２  テンションメンバ
１３  亜鉛メッキ鋼線（支持線）
１４  ノッチ
１５  保護被覆
１６  外被
１７  ブリッジ
Ｇ  ギャップ
【図１】
2007101586.tif 000005
【図２】
2007101586.tif 000006
【図３】
2007101586.tif 000007
【図４】
2007101586.tif 000008